(57)【特許請求の範囲】
【請求項１】
床面に設置される脚フレームと、それぞれがこの脚フレームに下端部が連結され、上下方向に延びるとともに横方向に離れて位置する左右一対の支柱と、この左右一対の支柱に横方向両端部が支持され、複数の傘保持部を有する傘保持フレームと、を備えた傘立てであって、
上記各支柱には、横方向に延びる第１の軸を中心として回動可能なリンク部材が連結されているとともに、上記第１の軸より上方において略上下方向に所定長さ延びるガイド溝が形成されており、
上記傘保持フレームは、その両端部の後方寄りに設けられたガイド部が上記各ガイド溝にスライド可能に係合させられるとともに、上記両端部における上記ガイド部よりも前方側が横方向に延びる第２の軸を中心として上記リンク部材に対して相対回動可能に連結されることによって上記各支柱に支持されており、
上記傘保持フレームは、上記ガイド部が上記ガイド溝の下端に位置して後方部に対して前方部が下位ないし略同じ高さとなる傾斜状ないし水平状の使用状態と、上記ガイド部が上記ガイド溝の上方側にスライドするとともに上記第２の軸が上記リンク部材の上記第１の軸を中心とした回動に伴って上記支柱に近づくことにより、上記支柱に沿って折り畳まれる折り畳み状態と、をとりうるように構成されていることを特徴とする、傘立て。
【請求項２】
上記各リンク部材の所定部位に対して横方向に延びる第３の軸を中心として上端部が相対回動可能に連結され、上下方向に延びる補助支柱と、
上記一対の支柱における上記第１の軸より下方の所定部位に対して横方向両端部が横方向に延びる第４の軸を中心として回動可能に連結され、上記傘保持フレームが上記使用状態にあるときに前後方向に延びる補助フレームと、をさらに備え、
上記補助支柱と上記補助フレームの両端部とは、上記第３の軸より下方かつ上記第４の軸より前方において、横方向に延びる第５の軸を中心として相対回動可能に連結され、
上記第１、第３、第４および第５の軸が変形可能な四辺形の頂点をなす機構を構成することにより、上記補助フレームの上記第４の軸を中心とした回動に伴って上記第５の軸および上記第３の軸が上記支柱に近づきながら上動し、上記補助支柱および上記補助フレームが上記支柱に沿うように折り畳まれ、かつ上記傘保持フレームが上記折り畳み状態となる、請求項１に記載の傘立て。
【請求項３】
上記一対の支柱における上記第４の軸より下方の所定部位に対して横方向両端部が横方向に延びる第６の軸を中心として回動可能に連結され、上記傘保持フレームが上記使用状態にあるときに前後方向に延びる追加の補助フレームをさらに備え、
上記補助支柱と上記追加の補助フレームの両端部とは、上記第５の軸より下方かつ上記第６の軸より前方において、横方向に延びる第７の軸を中心として相対回動可能に連結され、
上記第１、第３、第６および第７の軸が変形可能な四辺形の頂点をなす機構を構成することにより、上記追加の補助フレームの上記第６の軸を中心とした回動に伴って上記第７の軸および上記第３の軸が上記支柱に近づきながら上動し、上記補助支柱および上記追加の補助フレームが上記支柱に沿うように折り畳まれ、かつ上記傘保持フレームが上記折り畳み状態となる、請求項２に記載の傘立て。
【請求項４】
上記傘保持フレームが上記使用状態にあるとき、上記第１の軸に対する上記第２の軸の回動軌跡の接線方向と、上記ガイド溝が延びる方向とは、略平行である、請求項１ないし３のいずれかに記載の傘立て。
【請求項５】
上記傘保持フレームが上記使用状態にあるとき、上記第２の軸は、前後方向において上記第１の軸と第３の軸との間に位置し、かつ上下方向において上記第１の軸より上位に位置する、請求項２または３に記載の傘立て。
【請求項６】
上記ガイド溝は、上方に向かうほど後方に変位するように傾斜させられている、請求項５に記載の傘立て。
【請求項７】
上記傘保持フレームが上記折り畳み状態をとるとき、上記第２の軸は、上記第１の軸と上記ガイド部とを結ぶ線分より後方に位置する、請求項１ないし６のいずれかに記載の傘立て。
【請求項８】
上記補助フレームは、横長矩形の枠状部を有するとともに横ロッドと縦ロッドとにより格子状に形成されており、上記傘保持部に保持された傘の前後ないし左右の移動を規制する仕切り枠として構成される、請求項２に記載の傘立て。
【請求項９】
上記追加の補助フレームは、横長矩形の枠状に形成され、トレイを支持するトレイ枠として構成される、請求項３に記載の傘立て。
【請求項１０】
上記追加の補助フレームの後方側には、ネスティングされる他の傘立てとの干渉を防止するための切欠き部が形成されている、請求項３または９に記載の傘立て。
【発明の詳細な説明】
【技術分野】
【０００１】
本発明は、傘立てに関し、より詳しくは、複数の傘保持部を有する傘保持フレームを備えた傘立てに関する。
【背景技術】
【０００２】
店舗、オフィス、あるいは空港などの各種施設においては、その入口近傍に傘立てを配置して利用する場合が多い。店舗などに配置される傘立てとしては、一般に、複数の傘保持部が傘保持フレームに設けられた構成とされており、傘保持部としては、盗難防止の観点から施錠機構を備えたものが使用される場合がある。ここで、多数の傘保持部を、バー等を介して傘保持フレームに対して前後方向および横方向に配列させて設けることにより、多数の傘を１本ずつ個別に施錠状態で保持することができる。このような傘立ては、たとえば特許文献１に記載されている。
【０００３】
特許文献１に開示された傘立ては、同文献の図１および図２に表れているように、床面に設置され、それぞれが前後方向に延びる左右のフレーム（脚フレーム）と、左右の脚フレームの各前端部に連結されて上下方向に延びる支柱と、左右の支柱の各先端から延びる支持アーム（傘保持フレーム）と、左右の支持アーム間に掛け渡すように設けられた複数の横バーと、各横バーに複数設けられた傘ロック装置（傘保持部）と、左右の脚フレームの各下面に設けられたキャスタとを備えている。支持アームは、前方に向かうほど低位となる傾斜状とされており、この傾斜状の支持アームにより、後方の傘ロック装置に対しても傘の出し入れを比較的容易に行うことが可能となっている。また、左右の脚フレームは、前方に向かうほどこれらの横方向の間隔が狭くなるように、平面視ハの字状となっている。これにより、たとえば晴天時など傘立てを必要としない時には、前方側に位置する傘立ての左右の脚フレーム間に、後方側から他の傘立ての左右の脚フレームを進入させて、複数の傘立てがネスティング状態となって前後方向に重ねられるようになっている。複数の横バーおよびこれに取り付けられた複数の傘ロック装置は、前方に向かうほど低位となる傾斜状の支持アームに設けられているため、各傘立てが上記のようにネスティング状態で重ねられていても、互いに干渉することがない。上記構成の傘立てによれば、不使用時には上記のようにネスティング状態にして収納保管することにより、保管スペースを小さくすることができる。
【０００４】
しかしながら、店舗等において、必ずしも傘立ての収納保管場所が確保されているとは限らず、不使用時においても、傘立てを移動させることができずにもとの場所に配置し続けなければならない場合がある。この場合、人の往来の妨げとなったり外観上の体裁が悪くなるなどの理由により、上記従来構成の傘立てをネスティング状態にすることはできない。その一方、晴天時などの傘立ての不使用時に傘立てをこのままの状態で配置しておくと、やはり外観上の体裁が良好ではなく、また、傘立ての占有空間が不当に大きくなり、改善の余地があった。
【先行技術文献】
【特許文献】
【０００５】
【特許文献１】特開平８−３０８７１１号公報
【発明の概要】
【発明が解決しようとする課題】
【０００６】
本発明は、このような事情のもとで考え出されたものであって、複数の傘保持部を有する傘保持フレームを備えた傘立てにおいて、不使用時にはコンパクトな状態に折り畳むことができ、使い勝手が良好な傘立てを提供することを課題とする。
【課題を解決するための手段】
【０００７】
上記の課題を解決するため、本発明では、次の技術的手段を講じている。
【０００８】
本発明によって提供される傘立ては、床面に設置される脚フレームと、それぞれがこの脚フレームに下端部が連結され、上下方向に延びるとともに横方向に離れて位置する左右一対の支柱と、この左右一対の支柱に横方向両端部が支持され、複数の傘保持部を有する傘保持フレームと、を備えた傘立てであって、上記各支柱には、横方向に延びる第１の軸を中心として回動可能なリンク部材が連結されているとともに、上記第１の軸より上方において略上下方向に所定長さ延びるガイド溝が形成されており、上記傘保持フレームは、その両端部の後方寄りに設けられたガイド部が上記各ガイド溝にスライド可能に係合させられるとともに、上記両端部における上記ガイド部よりも前方側が横方向に延びる第２の軸を中心として上記リンク部材に対して相対回動可能に連結されることによって上記各支柱に支持されており、上記傘保持フレームは、上記ガイド部が上記ガイド溝の下端に位置して後方部に対して前方部が下位ないし略同じ高さとなる傾斜状ないし水平状の使用状態と、上記ガイド部が上記ガイド溝の上方側にスライドするとともに上記第２の軸が上記リンク部材の上記第１の軸を中心とした回動に伴って上記支柱に近づくことにより、上記支柱に沿って折り畳まれる折り畳み状態と、をとりうるように構成されていることを特徴としている。
【０００９】
このような構成の傘立てにおいては、使用状態にあるときには、リンク部材を介して相対回動可能に支柱に支持された傘保持フレームは、後方寄りに設けられたガイド部が支柱に形成されたガイド溝の下端に位置して止まり、後方部に対して前方部が下位となる傾斜状となっている。ここで、第２の軸はガイド部の前方下位に位置している。一方、傘保持フレームは、第２の軸がリンク部材の第１の軸を中心として支柱に近づくように回動させられると、ガイド部がガイド溝に沿って上方側にスライドし、前方側が下位に位置しかつ後方側が上位に位置するように、支柱に沿って折り畳まれる。したがって、上記構成の傘立てによれば、使用時には傾斜状ないし水平状の傘保持フレームを形成しつつ、不使用時には当該傘保持フレームをコンパクトに折り畳むことができ、使い勝手がよい。
【００１０】
また、上記構成の傘立てによれば、傘保持フレームはリンク部材に対しては第２の軸を中心として回動可能に連結される一方、この回動軌跡のガイド部位置における接線方向とガイド溝が延びる方向（略上下方向）とのなす角度が比較的に大きくなっている。したがって、傘保持フレームにおいて、前方側に対して上向きあるいは下向きの荷重が作用しても折り畳まれ難く、使用状態を安定して維持することができる。
【００１１】
好ましい実施の形態においては、上記各リンク部材の所定部位に対して横方向に延びる第３の軸を中心として上端部が相対回動可能に連結され、上下方向に延びる補助支柱と、上記一対の支柱における上記第１の軸より下方の所定部位に対して横方向両端部が横方向に延びる第４の軸を中心として回動可能に連結され、上記傘保持フレームが上記使用状態にあるときに前後方向に延びる補助フレームと、をさらに備え、上記補助支柱と上記補助フレームの両端部とは、上記第３の軸より下方かつ上記第４の軸より前方において、横方向に延びる第５の軸を中心として相対回動可能に連結され、上記第１、第３、第４および第５の軸が変形可能な四辺形の頂点をなす機構を構成することにより、上記補助フレームの上記第４の軸を中心とした回動に伴って上記第５の軸および上記第３の軸が上記支柱に近づきながら上動し、上記補助支柱および上記補助フレームが上記支柱に沿うように折り畳まれ、かつ上記傘保持フレームが上記折り畳み状態となる。このような構成によれば、補助フレームを、第４の軸を中心として前端部が上動するように回動させると、傘保持フレーム、補助支柱および補助フレームが支柱に沿うように同時に折り畳まれる。すなわち、上記構成によれば、傘立ての折り畳み操作を簡単かつ効率よく行うことができ、使い勝手がより良好である。
【００１２】
好ましい実施の形態においては、上記一対の支柱における上記第４の軸より下方の所定部位に対して横方向両端部が横方向に延びる第６の軸を中心として回動可能に連結され、上記傘保持フレームが上記使用状態にあるときに前後方向に延びる追加の補助フレームをさらに備え、上記補助支柱と上記追加の補助フレームの両端部とは、上記第５の軸より下方かつ上記第６の軸より前方において、横方向に延びる第７の軸を中心として相対回動可能に連結され、上記第１、第３、第６および第７の軸が変形可能な四辺形の頂点をなす機構を構成することにより、上記追加の補助フレームの上記第６の軸を中心とした回動に伴って上記第７の軸および上記第３の軸が上記支柱に近づきながら上動し、上記補助支柱および上記追加の補助フレームが上記支柱に沿うように折り畳まれ、かつ上記傘保持フレームが上記折り畳み状態となる。このような構成によれば、追加の補助フレームを、第６の軸を中心として前端部が上動するように回動させると、傘保持フレーム、補助支柱および追加の補助フレームが支柱に沿うように同時に折り畳まれる。すなわち、上記構成によれば、傘立ての折り畳み操作を簡単かつ効率よく行うことができ、使い勝手がより良好である。
【００１３】
好ましい実施の形態においては、上記傘保持フレームが上記使用状態にあるとき、上記第１の軸に対する上記第２の軸の回動軌跡の接線方向と、上記ガイド溝が延びる方向とは、略平行である。
【００１４】
好ましい実施の形態においては、上記傘保持フレームが上記使用状態にあるとき、上記第２の軸は、前後方向において上記第１の軸と第３の軸との間に位置し、かつ上下方向において上記第１の軸より上位に位置する。
【００１５】
好ましい実施の形態においては、上記ガイド溝は、上方に向かうほど後方に変位するように傾斜させられている。このような構成によれば、傘保持フレームの第２の軸を中心とする回動軌跡のガイド部における接線方向と、ガイド溝が延びる方向とのなす角度をより大きくとることができる。したがって、使用状態にある傾斜状の傘保持フレームを、当該傘保持フレームの前方側における下向きの荷重に対して、より折り畳まれ難くすることができる。
【００１６】
好ましい実施の形態においては、上記傘保持フレームが上記折り畳み状態をとるとき、上記第２の軸は、上記第１の軸と上記ガイド部とを結ぶ線分より後方に位置する。このような構成によれば、傘保持フレームが折り畳み状態にあるときは、傘保持フレームには、自重により第２の軸が後方に向かいつつ下動する力が作用する。したがって、傘保持フレームは折り畳み状態で安定しており、使い勝手がよい。
【００１７】
好ましい実施の形態においては、上記補助フレームは、横長矩形の枠状部を有するとともに横ロッドと縦ロッドとにより格子状に形成されており、上記傘保持部に保持された傘の前後ないし左右の移動を規制する仕切り枠として構成される。
【００１８】
好ましい実施の形態においては、上記追加の補助フレームは、横長矩形の枠状に形成され、トレイを支持するトレイ枠として構成される。
【００１９】
好ましい実施の形態においては、上記追加の補助フレームにおける後方側には、ネスティングされる他の傘立てとの干渉を防止するための切欠き部が形成されている。
【００２０】
本発明のその他の特徴および利点は、添付図面を参照して以下に行う詳細な説明によって、より明らかとなろう。
【図面の簡単な説明】
【００２１】
【図１】本発明に係る傘立ての一例を示す正面図である。
【図２】本発明に係る傘立ての一例を示す右側面図である。
【図３】図１の要部拡大図である。
【図４】図２の要部拡大図である。
【図５】図１のＶ−Ｖ線に沿う要部断面図である。
【図６】本発明に係る傘立ての折り畳む途中の状態を示す要部右側面である。
【図７】本発明に係る傘立ての折り畳み状態を示す要部右側面図である。
【図８】図７のＶＩＩＩ−ＶＩＩＩ線の要部矢視図である。
【図９】本発明に係る傘立ての作用説明図である。
【図１０】本発明に係る傘立ての作用説明図である。
【図１１】図７の要部拡大図である。
【図１２】本発明に係る傘立ての作用説明図である。
【発明を実施するための形態】
【００２２】
以下、本発明の好ましい実施の形態について、図面を参照して具体的に説明する。
【００２３】
図１〜図５は、本発明に係る傘立ての一例を示している。図１および図２に表れているように、本実施形態の傘立てＡは、床面に設置される一対の脚フレーム１と、それぞれが脚フレーム１の下端部に連結され、上下方向（図中のＹ１−Ｙ２方向）に延びる一対の支柱２と、これら一対の支柱２にリンク部材４を介して支持される傘保持フレーム３と、一対の補助支柱５と、仕切り枠６と、トレイ枠７とを備えている。本実施形態の傘立てＡは、不使用時において折り畳むことが可能な構成とされており、図１〜図５は使用状態を表し、図６は折り畳む途中の状態を表し、図７は折り畳み状態を表す。
【００２４】
一対の脚フレーム１は、それぞれが前後方向（図中のＸ１−Ｘ２方向）に延びるとともに、横方向（図中のＺ１−Ｚ２方向）に離間して左右に対をなして配置されている。なお、各脚フレーム１の前端部および後端部には、キャスタ１２が設けられている。
【００２５】
一対の支柱２は、たとえば長矩形断面をした直線状に延びる金属パイプによって構成され、これら支柱２の間に配置された補強パネル８に連結されることにより、横方向（図中のＺ１−Ｚ２方向）に所定間隔離れて左右に対をなしている。各支柱２の上部寄りには、横方向に延びる軸Ｏ１を中心として回動可能なリンク部材４が連結されている。また、各支柱２における軸Ｏ１より上方の内側には、ガイド溝２１が形成されている。ガイド溝２１は、略上下方向に所定長さかつ一定幅で延びており、本実施形態では、上方に向かうほど後方に変位するように若干傾斜させられている。
【００２６】
傘保持フレーム３は、たとえば長矩形断面をした直線状に延びる金属パイプによって構成され、横方向に離間する一対の端部バー３１と、これら端部バー３１に対して橋渡し状に連結された複数の横バー３２とを備える。これら横バー３２は、前後方向に所定の間隔を隔てて配置され、各横バー３２には、複数の傘ロック装置３３が取り付けられている。傘ロック装置３３は、本発明でいう傘保持部に相当し、たとえば傘の柄を保持した状態において当該傘の持ち去りを防止する施錠機構を備えて構成される。なお、図２によく表れているように、後端側の横バー３２には、表示プレート３４が設けられている。表示プレート３４は、たとえば傘ロック装置３３の取り扱い方法あるいは広告などを記載するために用いられる。
【００２７】
両端部バー３１は、図２に示すように、傘立てＡが使用状態にあるとき、後方部に対して前方部が下位となる傾斜姿勢で前後に延びている。両端部バー３１の後方寄りの外側には、ガイドピン３１０が設けられている。ガイドピン３１０は、図３および図４によく表れているように、支柱２のガイド溝２１の幅寸法よりも小径の中間部３１０ａと、当該幅寸法よりも大径の先端部３１０ｂとを有し、ガイド溝２１の上端に形成されたガイドピン用穴２２を介して上記中間部３１０ａがガイド溝２１に通されている。これにより、ガイドピン３１０は、ガイド溝２１に対してスライド可能に係合している。
【００２８】
両端部バー３１はまた、図１および図２に表れているように、横方向に延びる軸Ｏ２を中心として、リンク部材４に対して相対回動可能に連結されている。軸Ｏ２は、端部バー３１においてはガイドピン３１０よりも前方に位置し、また、リンク部材４においては軸Ｏ１よりも前方に位置する。
【００２９】
リンク部材４は、図２および図４に示すように、湾曲状の平板によって構成されており、傘立てＡが使用状態にあるとき、上方に凸となる姿勢である。このとき、軸Ｏ１は、リンク部材４の後方側端部に位置し、軸Ｏ２は、リンク部材４の前後方向における略中央に位置する。また、後述するように、リンク部材４の前方側端部において、補助支柱５の上端部が軸Ｏ３を中心として相対回動可能に連結されている。リンク部材４に係る軸Ｏ１，Ｏ２，Ｏ３の位置関係に着目すると、軸Ｏ２は、前後方向において軸Ｏ１と軸Ｏ３との間に位置し、かつ上下方向において軸Ｏ１より上位に位置する。
【００３０】
上述したように、リンク部材４が支柱２に対して軸Ｏ１回りに回動可能であり、傘保持フレーム３がリンク部材４に対して軸Ｏ２回りに回動可能であることから、傘保持フレーム３およびリンク部材４は、その自重によって下動しようとする。一方、傘保持フレーム３のガイドピン３１０は、支柱２のガイド溝２１に係合させられることにより、その移動可能範囲がガイド溝２１に沿った直線動に規制される。したがって、図２に示す傘立てＡの使用状態において、傘保持フレーム３は、ガイドピン３１０がガイド溝２１の下端に位置して止まる状態にある。このとき、軸Ｏ２はガイドピン３１０の前方下位に位置しており、傘保持フレーム３は、後方部に対して前方部が下位となる傾斜状となっている。
【００３１】
一方、傘保持フレーム３の自重に抗して軸Ｏ２がリンク部材４の軸Ｏ１を中心として支柱２に近づくように回動させられると、ガイドピン３１０がガイド溝２１に沿って上方側にスライドし（図６参照）、傘保持フレーム３は、図７に表れているように、前方側が下位に位置しかつ後方側が上位に位置するように、支柱２に沿って垂直状に折り畳まれる。
【００３２】
一対の補助支柱５は、図１および図２に示すように、支柱２の前方側において当該支柱２と平行に上下方向に延びるように設けられており、たとえば長矩形断面をした直線状に延びる金属パイプによって構成されている。補助支柱５の上端部は、リンク部材４の前方側端部に対して、横方向に延びる軸Ｏ３を中心として相対回動可能に連結されている。
【００３３】
仕切り枠６は、図１および図２に示すように、一対の支柱２の間において傘保持フレーム３よりも下方に設けられ、傘ロック装置３３に保持された傘の移動を規制するためのものである。仕切り枠６は、たとえば平板の折り曲げないし接合によって形成された横長矩形の枠状部６１を有するとともに、この枠状部６１に接合される２本の横ロッド６２Ａ，６２Ｂと２本の縦ロッド６３とにより格子状に形成されている。仕切り枠６は、傘立てＡが使用状態にあるとき、前後方向および横方向に延びる平面視略横長矩形を呈し、傘ロック装置３３に保持された傘が枠状部６１、横ロッド６２Ａ，６２Ｂ、または縦ロッド６３に当接することにより、傘の前後ないし左右への移動が規制される。
【００３４】
後方側の横ロッド６２Ｂは、その横方向両端部が、枠状部６１の外側に延出して折り曲げられたうえで、支柱２の軸Ｏ１より下方に形成された穴に相対回動可能な状態で挿入されている。これにより、仕切り枠６は、支柱２に対して、軸Ｏ１よりも下方において横方向に延びる軸Ｏ４を中心として回動可能に連結されている。
【００３５】
一方、前方側の横ロッド６２Ａは、補助支柱５と交差する位置に設けられており、その横方向両端部が枠状部６１の外側に延出して、補助支柱５に形成された穴に相対回動可能な状態で挿入されている。これにより、補助支柱５と仕切り枠６とは、補助支柱５の軸Ｏ３より下方かつ支柱２の軸Ｏ４より前方において横方向に延びる軸Ｏ５を中心として相対回動可能に連結されている。
【００３６】
支柱２、リンク部材４、補助支柱５、および仕切り枠６は、上述のように軸Ｏ１，Ｏ３，Ｏ４，Ｏ５を回動中心として相互に回動可能に連結されており、軸Ｏ１，Ｏ３，Ｏ４，Ｏ５は、図２に表れているように、平行四辺形の頂点に位置する。このため、支柱２、リンク部材４、補助支柱５、および仕切り枠６は、軸Ｏ１，Ｏ３，Ｏ４，Ｏ５が変形可能な平行四辺形の頂点をなすリンク機構を構成している。これにより、たとえば仕切り枠６を、軸Ｏ４を中心として前端部が上動するように回動させると、この回動動作に伴って軸Ｏ５，Ｏ３（補助支柱５）が支柱２に近づきながら上動し（図６参照）、補助支柱５および仕切り枠６が支柱２に沿うように折り畳まれる。ここで、リンク部材４に着目すると、軸Ｏ３の軸Ｏ１を中心とした回動に伴って、軸Ｏ２が支柱２に近づくように回動させられる。そして、このようにリンク部材４が回動させられると、傘保持フレーム３は、図７を参照して上述したように、支柱２に沿って垂直状に折り畳まれる。なお、軸Ｏ１，Ｏ３，Ｏ４，Ｏ５の位置関係としては、厳密に平行四辺形の頂点に位置する必要はなく、たとえば略平行四辺形の頂点に位置することにより、補助支柱５および仕切り枠６が支柱２に沿うように折り畳み可能とされていてもよい。
【００３７】
トレイ枠７は、図１および図２に示すように、一対の支柱２の間において仕切り枠６よりも下方に設けられ、仮想線で表されたトレイＴを支持するためのものである。トレイ枠７は、たとえば長矩形断面をした金属パイプが接合された基本的構成を有し、傘立てＡが使用状態にあるとき、前後方向および横方向に延びる平面視略横長矩形を呈する。トレイ枠７の後方寄りの横方向両端部には、端部プレート７１が取り付けられており、この端部プレート７１は、支柱２に対して軸Ｏ６回りに回動可能に支持されている。すなわち、トレイ枠７は、支柱２に対して、軸Ｏ４よりも下方において横方向に延びる軸Ｏ６を中心として回動可能に連結されている。
【００３８】
一方、トレイ枠７の前方寄りの横方向両端部は、補助支柱５の下端近傍と交差しており、補助支柱５に対して軸Ｏ７回りに回動可能に支持されている。すなわち、補助支柱５とトレイ枠７とは、補助支柱５の軸Ｏ５より下方かつ支柱２の軸Ｏ６より前方において横方向に延びる軸Ｏ７を中心として相対回動可能に連結されている。本実施形態では、トレイ枠７には、複数のトレイＴが支持されている。トレイＴは、傘の先端を受け止めたり、あるいは傘から落下する水を受け止めたりするためのものである。また、トレイ枠７の後端上部には、トレイ係止片７２が延出している。図５によく表れているように、トレイ枠７の端部プレート７１より後方には、切欠き部７３が形成されている。この切欠き部７３は、トレイ枠７の横方向の両端部後方側に設けられている。この切欠き部７３の意義については後述する。
【００３９】
支柱２、リンク部材４、補助支柱５、およびトレイ枠７は、上述のように軸Ｏ１，Ｏ３，Ｏ６，Ｏ７を回動中心として相互に回動可能に連結されており、軸Ｏ１，Ｏ３，Ｏ６，Ｏ７は、図２に表れているように、平行四辺形の頂点に位置する。このため、支柱２、リンク部材４、補助支柱５、およびトレイ枠７は、軸Ｏ１，Ｏ３，Ｏ６，Ｏ７が変形可能な平行四辺形の頂点をなすリンク機構を構成している。これにより、たとえばトレイ枠７を、軸Ｏ６を中心として前端部が上動するように回動させると、この回動動作に伴って軸Ｏ７，Ｏ３（補助支柱５）が支柱２に近づきながら上動し（図６参照）、補助支柱５およびトレイ枠７が支柱２に沿うように折り畳まれる。ここで、リンク部材４に着目すると、軸Ｏ３の軸Ｏ１を中心とした回動に伴って、軸Ｏ２が支柱２に近づくように回動させられる。そして、このようにリンク部材４が回動させられると、傘保持フレーム３は、図７を参照して上述したように、支柱２に沿って垂直状に折り畳まれる。なお、図７に示すように、トレイ枠７が折り畳まれた状態にあるとき、トレイＴは、トレイ枠７、トレイ係止片７２、および補強パネル８によって挟まれており、その脱落防止が図られている。また、軸Ｏ１，Ｏ３，Ｏ６，Ｏ７の位置関係としては、厳密に平行四辺形の頂点に位置する必要はなく、たとえば略平行四辺形の頂点に位置することにより、補助支柱５およびトレイ枠７が支柱２に沿うように折り畳み可能とされていてもよい。なお、図８に表れているように、トレイ枠７が折り畳まれた状態にあるとき、トレイ枠７の切欠き部７３によって、脚フレーム１とトレイ枠７との間には、他の傘立てＡの脚フレーム１およびキャスタ１２が進入しうる空間が形成される。
【００４０】
図１および図２に示すように、正面視右側の補助支柱５には、プレート状のストッパ片５１が設けられている。ストッパ片５１は、折り畳まれた状態にある傘立てＡが不当に使用状態に戻るのを防止するためのものであり、補助支柱５の軸Ｏ５，Ｏ７間の外側において、基端部が横方向に延びる軸心回りに回動可能に支持されている。ストッパ片５１の先端部には、係合溝５１ａが形成されている。図７に示すように、傘立てＡが折り畳まれた状態にあるときにストッパ片５１を支柱２側に回動させると、ストッパ片５１の先端部が支柱２の前方側に形成された図示しない切欠きを通じて当該支柱２内部に進入し、係合溝５１ａが仕切り枠６の後方側の横ロッド６２Ｂに係合する。これにより、傘立てＡが使用状態に戻るのを防止することができる。
【００４１】
次に、上記構成の傘立てＡの作用について説明する。
【００４２】
本実施形態の傘立てＡにおいては、図１および図２に示す使用状態にあるときには、リンク部材４を介して支柱２に支持された傘保持フレーム３は、後方寄りに設けられたガイドピン３１０が支柱２に形成されたガイド溝２１の下端に位置して止まり、後方部に対して前方部が下位となる傾斜状となっている。傘立てＡの利用に際しては、前方側の傘ロック装置３３から順番に傘が保持される傾向にあり、また、傘保持フレーム３の前方側に利用者が荷物を仮置きするなどにより、傘保持フレーム３の前端部において下向きの荷重が作用しやすくなる。また、使用者が傘ロック装置３３から傘を持ち去るときには、当該傘を上方に持ち上げることから、傘保持フレーム３の前端部において、上向きの荷重が作用する場合もある。ここで、図４から理解できるように、傘保持フレーム３はリンク部材４に対しては軸Ｏ２を中心として回動可能に連結される一方、この回動軌跡Ｌ１のガイドピン３１０位置における接線方向とガイド溝２１が延びる方向とのなす角度θが比較的に大きくなっている。したがって、傘保持フレーム３においては、前端部に対して上向きあるいは下向きの荷重Ｆが作用しても折り畳まれ難く、傾斜状とされた使用状態を安定して維持することができる。
【００４３】
また、傘保持フレーム３が使用状態にあるとき、この傘保持フレーム３はリンク部材４を介して支柱２に支持されている。図９は、使用状態における支柱２、傘保持フレーム３、およびリンク部材４の位置関係（要部）を表したものであり、これら支柱２、傘保持フレーム３、およびリンク部材４は、図９において太線で表すように、軸Ｏ１、軸Ｏ２、ガイドピン３１０において相互にピン結合されたトラスを構成している。そして、傘保持フレーム３が使用状態にあるとき、上記トラスを構成する三角形は正三角形に近い形状となっており、支柱２、傘保持フレーム３、リンク部材４に対して略均一に荷重が掛かるようになっている。かかる構成は、強度面において優れ、傘保持フレーム３の傾斜状の使用状態を安定して維持するうえで好適である。
【００４４】
図１０は、傘保持フレーム３およびリンク部材４について、使用状態から折り畳み状態までの位置関係の変化を表したものである。図１０においては、傘保持フレーム３およびリンク部材４について、使用状態および折り畳み状態を実線で表し、使用状態と折り畳み状態との間の途中位置にある状態を仮想線で表す。また、傘保持フレーム３の前方側下部の移動軌跡を太線（以下、軌跡Ｌ２とする）で表す。この軌跡Ｌ２を見れば分るように、傘保持フレーム３を折り畳む際には、折り畳み動作の初期において、傘保持フレーム３の前方側は、若干上動しつつ略水平移動をしている。したがって、傘保持フレーム３に対して上向あるいは下向きの荷重が作用しても、当該荷重の方向が軌跡Ｌ２の初期の方向と大きく異なっている。かかる観点によっても、傘保持フレーム３は、人為的な外力によって折り畳まれ難いものとなっており、傾斜状とされた使用状態をより安定して維持することができる。
【００４５】
その一方、傘立てＡの不使用時においては、傘保持フレーム３の自重に抗して軸Ｏ２がリンク部材４の軸Ｏ１を中心として支柱２に近づくように回動させることにより、図６に表れているように、傘保持フレーム３は、ガイドピン３１０がガイド溝２１に沿って上方側にスライドしつつ、前方側が軸Ｏ２を中心として下方に回動する。そして、傘保持フレーム３は、図７に表れているように、前方側が下位に位置しかつ後方側が上位に位置するように、支柱２に沿って垂直状に折り畳まれる。
【００４６】
このようなことから理解されるように、本実施形態の傘立てＡによれば、支柱２、傘保持フレーム３、およびリンク部材４において独自の構造を採用することにより、使用時には傾斜状の傘保持フレーム３を形成しつつ、不使用時には当該傘保持フレーム３をコンパクトに折り畳むことができ、使い勝手がよい。
【００４７】
本実施形態の傘立てＡにおいては、支柱２、リンク部材４、補助支柱５、および仕切り枠６は、軸Ｏ１，Ｏ３，Ｏ４，Ｏ５が変形可能な平行四辺形の頂点をなすリンク機構を構成している。このため、上述したように、仕切り枠６を、軸Ｏ４を中心として前端部が上動するように回動させると、傘保持フレーム３、補助支柱５および仕切り枠６が支柱２に沿うように折り畳まれる。すなわち、傘立てＡを折り畳む際には、たとえば仕切り枠６の前端側を持ち上げることにより、傘保持フレーム３、補助支柱５および仕切り枠６を同時に折り畳むことができる。このように仕切り枠６の回動動作によってリンク部材４を回動させることができる構成によれば、傘立てＡの折り畳み操作を簡単かつ効率よく行うことができ、使い勝手がより良好である。
【００４８】
本実施形態の傘立てＡにおいてはまた、支柱２、リンク部材４、補助支柱５、およびトレイ枠７は、軸Ｏ１，Ｏ３，Ｏ６，Ｏ７が変形可能な平行四辺形の頂点をなすリンク機構を構成している。このため、上述したように、トレイ枠７を、軸Ｏ６を中心として前端部が上動するように回動させると、傘保持フレーム３、補助支柱５およびトレイ枠７が支柱２に沿うように折り畳まれる。すなわち、傘立てＡを折り畳む際には、たとえばトレイ枠７の後端側を踏み込みつつ傘保持フレーム３を引き寄せることにより、トレイ枠７は前端部が上動するように軸Ｏ６回りに回動し、傘保持フレーム３、補助支柱５およびトレイ枠７を同時に折り畳むことができる。このようにトレイ枠７の回動動作によってリンク部材４を回動させることができる構成によれば、傘立てＡの折り畳み操作を簡単かつ効率よく行うことができ、使い勝手がより良好である。
【００４９】
本実施形態では、図４を参照して上述したように、リンク部材４に係る軸Ｏ１，Ｏ２，Ｏ３の位置関係については、軸Ｏ２は、前後方向において軸Ｏ１と軸Ｏ３との間に位置し、かつ上下方向において軸Ｏ１より上位に位置する。リンク部材４において、軸Ｏ２は傘保持フレーム３の重量を受ける部分であり、軸Ｏ３は、補助支柱５から上向きの力が与えられる部分である。そして、軸Ｏ２，Ｏ３は、軸Ｏ１を中心として回動させられ、軸Ｏ２は、軸Ｏ３の斜め上方に位置している。かかる構成によれば、リンク部材４の軸Ｏ２，Ｏ３に作用する力のモーメントの関係から、傘立てＡの折り畳み操作の初動時には、補助支柱５を上動させるのに比較的小さい力で足りるので、使い勝手がより良好である。
【００５０】
さらに、本実施形態においては、図９を参照するとよく理解できるように、傘保持フレーム３が使用状態にあるとき、軸Ｏ２は軸Ｏ１の上方に位置しており、軸Ｏ１に対する軸Ｏ２の回動軌跡の接線方向Ｎ１は、鉛直方向に対して傾斜している。また、ガイド部３１０のスライド方向を規定するガイド溝２１が延びる方向Ｎ２についても、鉛直方向に対して傾斜している。そして、軸Ｏ１に対する軸Ｏ２の回動軌跡の接線方向Ｎ１と、ガイド溝２１が延びる方向Ｎ２とは、略平行とされている。このため、傘保持フレーム３を折り畳む際の初動時には、ガイド部３１０をガイド溝２１に沿ってスムーズにスライド移動させることができる。すなわち、傘立てＡの折り畳み操作の初動時において、傘保持フレーム３を折り畳むのに必要な力を低減することができ、使い勝手がより良好である。
【００５１】
このような効果は、折り畳み操作の初動時において、軸Ｏ２の進行方向とガイド溝２１の延びる方向とが略平行であれば、享受することができる。たとえばガイド溝２１の形状としては、図示された直線状のものと異なり、曲線状の構成とすることもでき、この場合、初動時における軸Ｏ１に対する軸Ｏ２の接線方向と、ガイド溝２１の下端部において上方に向けて延びる方向とが略平行であればよい。また、軸Ｏ１に対する軸Ｏ２の位置関係が図示されたものと異なっていても、初動時における軸Ｏ１に対する軸Ｏ２の回動軌跡の接線方向とガイド溝２１の延びる方向とが略平行とされていれば、上記効果を奏することができる。たとえば、傘保持フレーム３が使用状態にあるときに軸Ｏ２が軸Ｏ１に対して上下方向において略同位である場合には、ガイド溝２１を鉛直方向に沿うようにすればよく、傘保持フレーム３が使用状態にあるときに軸Ｏ２が軸Ｏ１より下位にある場合には、ガイド溝２１を上方に向かうほど前方に変位するように傾斜させればよい。
【００５２】
本実施形態では、支柱２のガイド溝２１は、上方に向かうほど後方に変位するように傾斜させられている。このため、図４を参照すると分るように、傘保持フレーム３の軸Ｏ２を中心とする回動軌跡のガイドピン３１０位置における接線方向と、ガイド溝２１が延びる方向とのなす角度θを、９０度に近づくようにより大きくとることができる。したがって、使用状態にある傘保持フレーム３は、その前端部への下向きの荷重Ｆに対して、より折り畳まれ難くなっている。その結果、傾斜状とされた傘保持フレーム３の使用状態をより安定して維持することができる。
【００５３】
本実施形態では、図１１に表れているように、傘保持フレーム３が折り畳み状態にあるとき、軸Ｏ２は、軸Ｏ１とガイドピン３１０とを結ぶ線分Ｌ２より後方に位置している。すなわち、このとき、傘保持フレーム３には、自重により軸Ｏ２が後方に向かいつつ下動する力が作用する。したがって、傘保持フレーム３は、折り畳み状態で安定しており、使い勝手がよい。
【００５４】
本実施形態においては、図５および図８を参照して上述したように、トレイ枠７は、横方向の両端部後方側に切欠き部７３を有している。このため、図１２を参照すると理解できるように、折り畳み状態の傘立てＡに対し、他の折り畳み状態の傘立てＡ（図１２において仮想線で表す）を後方側から左右の位置を少しずらして進入させることにより、ネスティングされる他の傘立てＡとの干渉を防止することができる。したがって、折り畳み状態の複数の傘立てＡを前後方向にネスティング状態で重ねることができ、収納保管する場合において保管スペースを小さくすることができる。
【００５５】
以上、本発明の具体的な実施形態を説明したが、本発明はこれに限定されるものではなく、発明の思想から逸脱しない範囲内で種々な変更が可能である。本発明に係る傘立ての各部の具体的な形状や材質なども、上記実施形態に限定されるものではない。
【００５６】
上記実施形態において、傘保持フレームについては、使用状態にあるときに傾斜状となる構成を例に挙げて説明したが、これに限定されるものではない。傘保持フレームとしては、使用状態にあるときに水平状の姿勢をとる構成としてもよく、かかる構成においても本発明の利益を享受することができる。
【符号の説明】
【００５７】
Ａ        傘立て
Ｏ１      軸（第１の軸）
Ｏ２      軸（第２の軸）
Ｏ３      軸（第３の軸）
Ｏ４      軸（第４の軸）
Ｏ５      軸（第５の軸）
Ｏ６      軸（第６の軸）
Ｏ７      軸（第７の軸）
Ｔ        トレイ
１        脚フレーム
２        支柱
３        傘保持フレーム
４        リンク部材
５        補助支柱
６        仕切り枠（補助フレーム）
７        トレイ枠（追加の補助フレーム）
８        補強パネル
２１      ガイド溝
３１      端部バー
３１０    ガイドピン（ガイド部）
３２      横バー
３３      傘ロック装置（傘保持部）
５１      ストッパ片
６１      枠状部
６２Ａ，６２Ｂ      横ロッド
６３      縦ロッド
７１      端部プレート
７２      トレイ係止片
７３      切欠き部
【図１】
0005386261.tif 000002
【図２】
0005386261.tif 000003
【図３】
0005386261.tif 000004
【図４】
0005386261.tif 000005
【図５】
0005386261.tif 000006
【図６】
0005386261.tif 000007
【図７】
0005386261.tif 000008
【図８】
0005386261.tif 000009
【図９】
0005386261.tif 000010
【図１０】
0005386261.tif 000011
【図１１】
0005386261.tif 000012
【図１２】
0005386261.tif 000013